(57)【要約】【課題】小型基地局からのトラヒックの一部を固定通信網に分散させることにより、移動体通信網におけるトラヒックの集中を回避することが可能な小型基地局を得る。【解決手段】フェムトセル基地局２は、自身の通信圏内に位置している携帯電話４との間で電波の送受信を行う小型基地局であって、携帯電話４から受信したパケットデータを、固定通信網６及び移動体通信網８の一方を振り分け先として選択して送信する振分処理部１３を備える。【選択図】図２
2010136165.tif 000002
【特許請求の範囲】
【請求項１】
自身の通信圏内に位置している移動通信端末との間で電波の送受信を行う小型基地局であって、
前記移動通信端末から受信したパケットデータを、固定通信網及び移動体通信網の一方を振り分け先として選択して送信する振分処理部を備える、小型基地局。
【請求項２】
前記振分処理部は、
前記パケットデータの宛先情報、
前記パケットデータのプロトコルの種別、並びに
フルブラウザ及びモバイルブラウザの種別
の少なくとも一つを含む、前記パケットデータの属性に基づいて、前記パケットデータの振り分け先を選択する、請求項１に記載の小型基地局。
【請求項３】
前記振分処理部は、前記パケットデータに含まれる、フルブラウザとモバイルブラウザとの識別情報に基づいて、フルブラウザ及びモバイルブラウザの種別を判定する、請求項２に記載の小型基地局。
【請求項４】
前記振分処理部は、前記パケットデータに含まれる、アクセスポイントの識別情報に基づいて、フルブラウザ及びモバイルブラウザの種別を判定する、請求項２に記載の小型基地局。
【請求項５】
前記振分処理部は、前記パケットデータの属性と振り分け先との対応関係を保持しており、
当該対応関係の内容を更新する更新処理部をさらに備える、請求項２〜４のいずれか一つに記載の小型基地局。
【請求項６】
前記小型基地局は前記固定通信網を介して前記移動体通信網に接続されており、
前記振分処理部によって前記移動体通信網が振り分け先として選択されたパケットデータに対して、前記移動体通信網への宛先アドレスを付加する処理部をさらに備え、
当該宛先アドレスが付加された当該パケットデータは、前記固定通信網を通過して前記移動体通信網に送信される、請求項１〜５のいずれか一つに記載の小型基地局。
【請求項７】
前記小型基地局又は前記固定通信網は、ＳＧＳＮ（Serving GPRS Support Node）に相当する機能を有しており、
当該機能と前記移動通信端末との間のコネクションが確立されて、前記小型基地局が前記移動通信端末から前記パケットデータを受信することにより、前記振分処理部は、当該パケットデータの属性に基づいて振り分け先を選択する、請求項１〜６のいずれか一つに記載の小型基地局。
【請求項８】
前記小型基地局はローカルエリアネットワークに接続されており、
前記振分処理部は、前記ローカルエリアネットワークから受信したパケットデータを、前記固定通信網及び前記移動体通信網の一方を振り分け先として選択して送信することが可能である、請求項１〜７のいずれか一つに記載の小型基地局。
【発明の詳細な説明】
【技術分野】
【０００１】
本発明は、小型基地局に関する。
【背景技術】
【０００２】
携帯電話による通信は電波を利用するため、通信サービスのエリア内であっても、屋内や地下等の電波の届きにくい（又は届かない）電波不感エリアでは、携帯電話による通信が不可能となる。そこで、電波不感エリアにおいても携帯電話による通信を可能とすべく、小型基地局を用いた通信システムの構築が検討されている。
【０００３】
この通信システムにおいては、半径数メートルないし数十メートル程度の極小セル（フェムトセル）を通信圏内とする小型基地局（以下「フェムトセル基地局」と称す）が、電波不感エリア内に設置される。また、フェムトセル基地局は、有線通信回線を介して携帯電話事業者の移動体通信網に接続される。従って、電波不感エリア内の携帯電話は、フェムトセル基地局及び有線通信回線を介して、移動体通信網に接続される。その結果、電波不感エリア内においても携帯電話による通信が可能となる。
【０００４】
なお、下記特許文献１には、光通信の加入者宅内に設置された無線基地局を備える通信システムが開示されている。この通信システムにおいて、加入者宅内で使用される携帯電話からの信号は、宅内の無線基地局から光通信ケーブルを介して収容局に送信され、収容局からＩＰ網、一般電話交換網、又は移動通信交換網等の各種ネットワークに送信される。
【０００５】
【特許文献１】特開２００４−１５１０３号公報
【発明の開示】
【発明が解決しようとする課題】
【０００６】
上記の通り、フェムトセル基地局は、有線通信回線を介して携帯電話事業者の移動体通信網に接続される。従って、フェムトセル基地局が携帯電話から受信したデータは、フェムトセル基地局から移動体通信網に向けて送信される。その結果、移動体通信網においてトラヒックの集中が発生する。
【０００７】
本発明はかかる事情に鑑みて成されたものであり、小型基地局からのトラヒックの一部を固定通信網に分散させることにより、移動体通信網におけるトラヒックの集中を回避することが可能な小型基地局を得ることを目的とするものである。
【課題を解決するための手段】
【０００８】
本発明の第１の態様に係る小型基地局は、自身の通信圏内に位置している移動通信端末との間で電波の送受信を行う小型基地局であって、前記移動通信端末から受信したパケットデータを、固定通信網及び移動体通信網の一方を振り分け先として選択して送信する振分処理部を備えることを特徴とするものである。
【０００９】
第１の態様に係る小型基地局によれば、振分処理部は、移動通信端末から受信したパケットデータを、固定通信網及び移動体通信網の一方に選択的に振り分ける。従って、小型基地局からのトラヒックが固定通信網及び移動体通信網に分散されるため、移動体通信網におけるトラヒックの集中を回避することが可能となる。
【００１０】
本発明の第２の態様に係る小型基地局は、第１の態様に係る小型基地局において特に、前記振分処理部は、前記パケットデータの宛先情報、前記パケットデータのプロトコルの種別、並びにフルブラウザ及びモバイルブラウザの種別の少なくとも一つを含む、前記パケットデータの属性に基づいて、前記パケットデータの振り分け先を選択することを特徴とするものである。
【００１１】
第２の態様に係る小型基地局によれば、振分処理部がパケットデータの振り分け先を選択するために用いる指標として、パケットデータの宛先情報（ＩＰアドレス、ポート番号、又はサブネット情報等）、パケットデータのプロトコルの種別、並びに、フルブラウザ及びモバイルブラウザの種別の少なくとも一つを用いることにより、振り分け先を効率的に選択することが可能となる。
【００１２】
本発明の第３の態様に係る小型基地局は、第２の態様に係る小型基地局において特に、前記振分処理部は、前記パケットデータに含まれる、フルブラウザとモバイルブラウザとの識別情報に基づいて、フルブラウザ及びモバイルブラウザの種別を判定することを特徴とするものである。
【００１３】
第３の態様に係る小型基地局によれば、パケットデータに含まれている、フルブラウザとモバイルブラウザとの識別情報（ユーザエージェント）を確認することにより、振分処理部は、フルブラウザ及びモバイルブラウザの種別を簡易かつ確実に判定することが可能となる。
【００１４】
本発明の第４の態様に係る小型基地局は、第２の態様に係る小型基地局において特に、前記振分処理部は、前記パケットデータに含まれる、アクセスポイントの識別情報に基づいて、フルブラウザ及びモバイルブラウザの種別を判定することを特徴とするものである。
【００１５】
第４の態様に係る小型基地局によれば、フルブラウザ対応のサービスを提供するサーバと、モバイルブラウザ対応のサービスを提供するサーバとで、移動通信端末からのアクセスポイントが互いに異なる場合には、振分処理部は、アクセスポイントの識別情報（ＡＰＮ）を確認することにより、フルブラウザ及びモバイルブラウザの種別を簡易かつ確実に判定することが可能となる。また、アクセスポイントの識別情報は、移動通信端末からの接続要求時に小型基地局に送信されてくるため、振分処理部が振り分け先の選択を行うにあたって、コネクションの確立の完了を待つ必要がない。
【００１６】
本発明の第５の態様に係る小型基地局は、第２〜第４のいずれか一つの態様に係る小型基地局において特に、前記振分処理部は、前記パケットデータの属性と振り分け先との対応関係を保持しており、当該対応関係の内容を更新する更新処理部をさらに備えることを特徴とするものである。
【００１７】
第５の態様に係る小型基地局によれば、パケットデータの属性と振り分け先との対応関係を参照することによって、振分処理部は、パケットデータの振り分け先を簡易かつ正確に選択することが可能となる。また、アクセスポイントの増設等に起因して対応関係が追加又は変更等された場合には、更新処理部によって対応関係の内容を更新することにより、振分処理部は、更新後の最新の対応関係を参照して振り分け先の選択を行うことが可能となる。
【００１８】
本発明の第６の態様に係る小型基地局は、第１〜第５のいずれか一つの態様に係る小型基地局において特に、前記小型基地局は前記固定通信網を介して前記移動体通信網に接続されており、前記振分処理部によって前記移動体通信網が振り分け先として選択されたパケットデータに対して、前記移動体通信網への宛先アドレスを付加する処理部をさらに備え、当該宛先アドレスが付加された当該パケットデータは、前記固定通信網を通過して前記移動体通信網に送信されることを特徴とするものである。
【００１９】
第６の態様に係る小型基地局によれば、移動体通信網が振り分け先として選択されたパケットデータに対して、移動体通信網への宛先アドレスを付加することにより、そのパケットデータは、固定通信網を通過して移動体通信網に送信される。これにより、小型基地局から移動体通信網に送信すべきパケットデータを、簡易かつ確実に移動体通信網に送信することが可能となる。
【００２０】
本発明の第７の態様に係る小型基地局は、第１〜第６のいずれか一つの態様に係る小型基地局において特に、前記小型基地局又は前記固定通信網は、ＳＧＳＮに相当する機能を有しており、当該機能と前記移動通信端末との間のコネクションが確立されて、前記小型基地局が前記移動通信端末から前記パケットデータを受信することにより、前記振分処理部は、当該パケットデータの属性に基づいて振り分け先を選択することを特徴とするものである。
【００２１】
第７の態様に係る小型基地局によれば、ＳＧＳＮに相当する機能を小型基地局内又は固定通信網内に実装することにより、当該機能と移動通信端末との間でコネクションを暫定的に確立することができる。従って、振分処理部は、コネクションが確立した後でなければ小型基地局が移動通信端末から取得できない情報（ＩＰアドレス、ポート番号、又はユーザエージェント等）に基づいて、パケットデータの振り分け先を選択することができる。そして、選択された振り分け先（固定通信網又は移動体通信網）に対してコネクションを確立することによって、その振り分け先にパケットデータを送信することが可能となる。
【００２２】
本発明の第８の態様に係る小型基地局は、第１〜第７のいずれか一つの態様に係る小型基地局において特に、前記小型基地局はローカルエリアネットワークに接続されており、前記振分処理部は、前記ローカルエリアネットワークから受信したパケットデータを、前記固定通信網及び前記移動体通信網の一方を振り分け先として選択して送信することが可能であることを特徴とするものである。
【００２３】
第８の態様に係る小型基地局によれば、振分処理部は、移動通信端末から受信したパケットデータのみならず、小型基地局に接続されているローカルエリアネットワークから受信したパケットデータに対しても、そのパケットデータを、固定通信網及び移動体通信網の一方を振り分け先として選択して送信することが可能である。従って、ユーザは、例えばホームネットワークに接続されているパソコンから、小型基地局を介して固定通信網又は移動体通信網のサーバにアクセスすることができ、そのサーバから提供されるサービスを利用することができる。その結果、ユーザの利便性を向上することが可能となる。
【発明の効果】
【００２４】
本発明によれば、小型基地局からのトラヒックの一部が固定通信網に分散されるため、移動体通信網におけるトラヒックの集中を回避することが可能となる。
【発明を実施するための最良の形態】
【００２５】
以下、本発明の実施の形態について、図面を用いて詳細に説明する。なお、異なる図面において同一の符号を付した要素は、同一又は相応する要素を示すものとする。
【００２６】
図１は、本発明の実施の形態に係る小型基地局２を備える通信システムの全体構成を概略的に示す図である。小型基地局２は、オフィス又はユーザの自宅等の建物１内に設置されている。小型基地局２は、半径が数メートルないし数十メートル程度の極小セルを通信エリアとする。以下、本明細書においては、小型基地局の通信エリアを「フェムトセル」と称し、小型基地局を「フェムトセル基地局」と称する。図１に示した例では、建物１内にフェムトセルが規定される。
【００２７】
フェムトセル基地局２は、光ファイバ、メタルケーブル、ＩＳＤＮ回線、又は電話回線等の有線通信回線５を介して、建物１の外部の固定通信網６に接続されている。固定通信網６は、ＩＰネットワーク又は公衆電話網等である。固定通信網６は、ゲートウェイ（ＧＷ）７を介して移動体通信網８に接続されている。移動体通信網８は、携帯電話事業者の無線ネットワーク及びコアネットワーク等であり、ＲＮＣ（Radio Network Controller）、ＭＳＣ（Mobile Services Switching Center）、ＶＬＲ（Visitor Location Register）、ＳＧＳＮ（Serving GPRS Support Node）、及びＨＬＲ（Home Location Register）等を備えて構成されている。
【００２８】
フェムトセル基地局２はアンテナ３を有しており、フェムトセル基地局２のアンテナ３と、フェムトセル内に位置している携帯電話４のアンテナとの間で、電波の送受信が行われる。つまり、携帯電話４を保持するユーザが建物１内に位置している場合には、携帯電話４のアンテナとフェムトセル基地局２のアンテナ３との間で、無線によるデータの送受信が行われる。建物１内の携帯電話４は、フェムトセル基地局２及び有線通信回線５を介して、固定通信網６に接続される。あるいは、建物１内の携帯電話４は、フェムトセル基地局２、有線通信回線５、固定通信網６、及びゲートウェイ７を介して、移動体通信網８に接続される。その結果、電波不感エリアである建物１内においても、ユーザは、携帯電話４による通信が可能となる。
【００２９】
図２は、フェムトセル基地局２の構成を概略的に示すブロック図である。図２に示すようにフェムトセル基地局２は、ＣＰＵ１０、ＬＡＮ（Local Area Network）インタフェース１５、及びＷＡＮ（Wide Area Network）インタフェース１６を備えて構成されている。ＷＡＮインタフェース１６には、有線通信回線５を介して固定通信網６が接続されている。また、建物１内にはホームネットワーク等のＬＡＮ１７が構築されており、ＬＡＮインタフェース１５はＬＡＮ１７に接続されている。ＬＡＮ１７には、パソコン及びテレビ等のディジタル情報家電（図示しない）が接続されている。
【００３０】
ＣＰＵ１０は、その機能として、携帯電話４に関するデータを処理する処理部１１と、ＬＡＮ１７に関するデータを処理する処理部１２と、振分処理部１３と、ＳＧＳＮに相当する機能を有する処理部１４とを備えている。処理部１２，１４は振分処理部１３に接続されており、処理部１１は処理部１４に接続されている。
【００３１】
処理部１１は、ＰＨＹ処理部、ＭＡＣ処理部、ＲＬＣ処理部、ＲＲＣ処理部、及びＰＤＣＰ処理部を有している。ＰＨＹ処理部は、携帯電話の無線プロトコルにおける物理レイヤ（Physical Layer）を処理する。同様に、ＭＡＣ処理部、ＲＬＣ処理部、ＲＲＣ処理部、及びＰＤＣＰ処理部は、携帯電話の無線プロトコルにおける、ＭＡＣ（Medium Access Control）サブレイヤ、ＲＬＣ（Radio Link Control）サブレイヤ、ＲＲＣ（Radio Resource Control）レイヤ、及びＰＤＣＰ（Packet Data Convergence Protocol）サブレイヤをそれぞれ処理する。また、処理部１２は、ＩＰ処理部、ＴＣＰ処理部、及びＵＤＰ処理部を有しており、これらはそれぞれＩＰ（Internet Protocol）、ＴＣＰ（Transmission Control Protocol）、及びＵＤＰ（User Datagram Protocol）の各レイヤを処理する。
【００３２】
図３は、振分処理部１３の機能構成を示すブロック図である。振分処理部１３は、ＩＰレイヤの判定部２０、アプリケーションレイヤの判定部２１、トンネル処理部２２、及び記憶部３０，３１を有している。図４，５はそれぞれ、記憶部３０，３１の記憶内容を示す図である。記憶部３０，３１には、データテーブル４０，４１がそれぞれ記憶されている。判定部２０，２１は、データテーブル４０，４１をそれぞれ参照することができる。また、振分処理部１３は、データテーブル４０，４１の内容をそれぞれ更新するための更新処理部５０，５１を有している。
【００３３】
図１〜５を参照して、携帯電話４から送信されたパケットデータは、アンテナ３、処理部１１、及び処理部１４をこの順に介して、振分処理部１３の判定部２０に入力される。また、ＬＡＮ１７から送信されたパケットデータは、ＬＡＮインタフェース１５及び処理部１２を介して、振分処理部１３の判定部２０に入力される。
【００３４】
判定部２０は、入力されたパケットデータの属性に基づいて、固定通信網６及び移動体通信網８の一方を、そのパケットデータの振り分け先として選択する。ここで、パケットデータの属性としては、入力されたパケットデータの宛先情報（送信先サーバのＩＰアドレス、ポート番号、又は送信先通信網のサブネット情報等）、入力されたパケットデータのプロトコルの種別（ＲＲＣ又はＰＤＣＰ又はＴＣＰ又はＵＤＰ）、並びに、フルブラウザ及びモバイルブラウザの種別、のうちの少なくとも一つが含まれる。また、ＩＰレイヤの判定部２０によっては振り分け先を選択できない場合には、そのパケットデータは判定部２０からアプリケーションレイヤの判定部２１に転送され、判定部２１によって振り分け先の選択が行われる。
【００３５】
例えば、パケットデータに含まれる送信先サーバのＩＰアドレスが、移動体通信網８内に含まれる携帯電話事業者のサーバのＩＰアドレスである場合には、判定部２０は、そのパケットデータの振り分け先として移動体通信網８を選択する。携帯電話事業者のサーバから提供されるサービスをユーザが利用する場合には、携帯電話４から送信されるパケットデータにはそのサーバのＩＰアドレスが宛先情報として含まれているため、そのパケットデータを目的のサーバに確実に送信することが可能となる。また、送信先サーバのＩＰアドレスが、固定通信網６内のサーバのＩＰアドレスである場合には、判定部２０は、そのパケットデータの振り分け先として固定通信網６を選択する。なお、送信先サーバのＩＰアドレスとパケットデータの振り分け先との対応関係は、データテーブル４０として記憶部３０に予め記憶されている。また、更新処理部５０は、定期的に又は不定期的に、データテーブル４０の内容を更新する。これにより、送信先サーバのＩＰアドレスとパケットデータの振り分け先との対応関係が追加又は変更等された場合であっても、更新処理部５０によってデータテーブル４０の内容が更新されることにより、判定部２０は、更新後の最新のデータテーブル４０を参照して振り分け先の選択を行うことが可能となる。
【００３６】
また例えば、パケットデータに含まれる送信先サーバのポート番号が特定のポート番号である場合には、判定部２１は、そのパケットデータの振り分け先として移動体通信網８を選択する。また、送信先サーバのポート番号がそれ以外のポート番号である場合には、判定部２１は、そのパケットデータの振り分け先として固定通信網６を選択する。なお、ポート番号とパケットデータの振り分け先との対応関係は、データテーブル４１として記憶部３１に予め記憶されている。また、更新処理部５１は、定期的に又は不定期的に、データテーブル４１の内容を更新する。これにより、送信先サーバのポート番号とパケットデータの振り分け先との対応関係が追加又は変更等された場合であっても、更新処理部５１によってデータテーブル４１の内容が更新されることにより、判定部２１は、更新後の最新のデータテーブル４１を参照して振り分け先の選択を行うことが可能となる。
【００３７】
また例えば、パケットデータのプロトコルが特定のプロトコルである場合には、判定部２０は、そのパケットデータの振り分け先として移動体通信網８を選択する。また、パケットデータのプロトコルがそれ以外のプロトコルである場合には、判定部２０は、そのパケットデータの送信先として固定通信網６を選択する。なお、プロトコルの種別とパケットデータの振り分け先との対応関係は、データテーブル４０として記憶部３０に予め記憶されている。また、更新処理部５０は、定期的に又は不定期的に、データテーブル４０の内容を更新する。これにより、プロトコルの種別とパケットデータの振り分け先との対応関係が追加又は変更等された場合であっても、更新処理部５０によってデータテーブル４０の内容が更新されることにより、判定部２０は、更新後の最新のデータテーブル４０を参照して振り分け先の選択を行うことが可能となる。
【００３８】
また例えば、パケットデータが、フルブラウザ対応のサービスに関連するパケットデータである場合には、判定部２０又は判定部２１は、そのパケットデータの振り分け先として移動体通信網８を選択する。また、パケットデータが、モバイルブラウザ対応のサービスに関連するパケットデータである場合には、判定部２０又は判定部２１は、そのパケットデータの振り分け先として固定通信網６を選択する。但し、フルブラウザの場合に固定通信網６を選択し、モバイルブラウザの場合に移動体通信網８を選択しても良い。
【００３９】
ここで、判定部２１は、パケットデータに含まれる特定の識別情報（ユーザエージェント）に基づいて、フルブラウザ及びモバイルブラウザの種別を判定することができる。なお、ユーザエージェントの内容とパケットデータの振り分け先との対応関係は、データテーブル４１として記憶部３１に予め記憶されている。また、更新処理部５１は、定期的に又は不定期的に、データテーブル４１の内容を更新する。これにより、ユーザエージェントとパケットデータの振り分け先との対応関係が追加又は変更等された場合であっても、更新処理部５１によってデータテーブル４１の内容が更新されることにより、判定部２１は、更新後の最新のデータテーブル４１を参照して振り分け先の選択を行うことが可能となる。
【００４０】
また、フルブラウザ対応のサービスを提供するサーバと、モバイルブラウザ対応のサービスを提供するサーバとで、携帯電話４（又はＬＡＮ１７）からのアクセスポイントが互いに異なる場合には、判定部２０は、アクセスポイントの識別情報（ＡＰＮ：Access Point Name）に基づいて、フルブラウザ及びモバイルブラウザの種別を判定することができる。なお、アクセスポイントの識別情報とパケットデータの振り分け先との対応関係は、データテーブル４０として記憶部３０に予め記憶されている。また、更新処理部５０は、定期的に又は不定期的に、データテーブル４０の内容を更新する。これにより、アクセスポイントの増設等に起因して、アクセスポイントの識別情報とパケットデータの振り分け先との対応関係が追加又は変更等された場合であっても、更新処理部５０によってデータテーブル４０の内容が更新されることにより、判定部２０は、更新後の最新のデータテーブル４０を参照して振り分け先の選択を行うことが可能となる。
【００４１】
ここで、図２を参照して、本実施の形態に係るフェムトセル基地局２内には、ＳＧＳＮに相当する機能を有する処理部１４が実装されている。これにより、処理部１４と携帯電話４との間でコネクションを暫定的に確立することができる。本来的に、ＩＰアドレス、ポート番号、又はユーザエージェント等の情報は、コネクションが確立された後に携帯電話２から送信される情報である。従って、処理部１４と携帯電話４との間で暫定的なコネクションを確立することによって、フェムトセル基地局２は、ＩＰアドレス等の情報を携帯電話４から取得することができる。これにより、振分処理部１３は、取得したＩＰアドレス等に基づいてパケットデータの振り分け先を選択することが可能となる。そして、選択された振り分け先（固定通信網６又は移動体通信網８）に対してコネクションを確立することによって、その振り分け先にパケットデータを送信することが可能となる。
【００４２】
図６は、フェムトセル基地局２の構成の変形例を概略的に示すブロック図である。ＳＧＳＮに相当する機能を有する処理部１４は、必ずしもフェムトセル基地局２内に実装される必要はなく、図６に示すように固定通信網６内（又はフェムトセル基地局２と固定通信網６との間）に実装されていても良い。
【００４３】
図３を参照して、判定部２０，２１は、パケットデータの振り分け先として固定通信網６を選択した場合には、そのパケットデータを、トンネル処理部２２を経由しないルートでＷＡＮインタフェース１６に入力する。また、判定部２０，２１は、パケットデータの振り分け先として移動体通信網８を選択した場合には、そのパケットデータを、トンネル処理部２２を経由するルートでＷＡＮインタフェース１６に入力する。
【００４４】
図７は、パケットデータの構造を概略的に示す図である。図７の（Ａ）に示すように、トンネル処理部２２を経由しない場合には、パケットデータには、送信先サーバのＩＰアドレスＡ１のみが付加されている。一方、図７の（Ｂ）に示すように、トンネル処理部２２を経由する場合には、パケットデータには、送信先サーバのＩＰアドレスＡ１に加えて、移動体通信網８の特定のサーバのＩＰアドレスＡ２が付加されている。トンネル処理部２２によってＩＰアドレスＡ２が付加されたパケットデータは、ＩＰトンネルモードによって固定通信網６を通過して、移動体通信網８の特定のサーバに送信される。その後、その特定のサーバから、ＩＰアドレスＡ１で示される目的のサーバに送信される。これにより、振り分け先として移動体通信網８が選択されたパケットデータを、簡易かつ確実にフェムトセル基地局２から移動体通信網８に送信することが可能となる。
【００４５】
このように本実施の形態に係るフェムトセル基地局２によれば、振分処理部１３は、携帯電話４から受信したパケットデータを、固定通信網６及び移動体通信網８の一方に選択的に振り分ける。従って、フェムトセル基地局２からのトラヒックが固定通信網６及び移動体通信網８に分散されるため、移動体通信網８におけるトラヒックの集中を回避することが可能となる。
【００４６】
また、本実施の形態に係るフェムトセル基地局２によれば、振分処理部１３は、携帯電話４から受信したパケットデータのみならず、フェムトセル基地局２に接続されているＬＡＮ１７から受信したパケットデータに対しても、そのパケットデータを、固定通信網６及び移動体通信網８の一方を振り分け先として選択して送信することが可能である。従って、ユーザは、例えばホームネットワークに接続されているパソコンから、フェムトセル基地局２を介して固定通信網６又は移動体通信網８のサーバにアクセスすることができ、そのサーバから提供されるサービスを利用することができる。その結果、ユーザの利便性を向上することが可能となる。
【００４７】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００４８】
【図１】本発明の実施の形態に係る小型基地局を備える通信システムの全体構成を概略的に示す図である。
【図２】フェムトセル基地局の構成を概略的に示すブロック図である。
【図３】振分処理部の機能構成を示すブロック図である。
【図４】記憶部の記憶内容を示す図である。
【図５】記憶部の記憶内容を示す図である。
【図６】フェムトセル基地局の構成の変形例を概略的に示すブロック図である。
【図７】パケットデータの構造を概略的に示す図である。
【符号の説明】
【００４９】
２  フェムトセル基地局（小型基地局）
５  有線通信回線
６  固定通信網
８  移動体通信網
１１，１２，１４  処理部
１３  振分処理部
１７  ＬＡＮ
２０，２１  判定部
２２  トンネル処理部
４０，４１  データテーブル
５０，５１  更新処理部
【図１】
2010136165.tif 000003
【図２】
2010136165.tif 000004
【図３】
2010136165.tif 000005
【図４】
2010136165.tif 000006
【図５】
2010136165.tif 000007
【図６】
2010136165.tif 000008
【図７】
2010136165.tif 000009